(57)【特許請求の範囲】
【請求項１】
糊付ローラーとドクターローラーを含む複数のローラーの作動によりシート状の壁紙材の裏面に糊付けする自動壁紙糊付機において、前記複数のローラーを両側端部において軸支する一対のフレーム側板部では、その各々が、ローラー軸支板部と外側樹脂カバー部とを有し、ローラー軸支板部は、ローラー対向面側の樹脂部と金属フレームとの複合一体化によって構成されており、金属フレームには、複数のローラーの軸支穴部と駆動伝達歯車の軸支穴部とともに軸支穴部間の寸法精度を保つ肉部と肉抜き穴部とが設けられていることを特徴とする自動壁紙糊付機。
【請求項２】
肉部にはリブが設けられていることを特徴とする請求項１に記載の自動壁紙糊付機。
【請求項３】
糊付ローラーの軸支穴部の中心とドクターローラーの軸支穴部中心との間には肉抜き穴部は存在せずに肉部が設けられていることを特徴とする請求項１または２に記載の自動壁紙糊付機。
【請求項４】
樹脂の板状体と金属フレームとが締結により複合一体化されてフレーム側板部が構成されていることを特徴とする請求項１から３のうちのいずれか一項に記載の自動壁紙糊付機。
【請求項５】
金属フレームとの樹脂一体成形品として複合一体化されたフレーム側板部が構成されていることを特徴とする請求項１から３のうちのいずれか一項に記載の自動壁紙糊付機。
【請求項６】
請求項１から５のうちのいずれか一項に記載の自動壁紙糊付機であって、糊箱の受け具、金属フレームにおける糊上げローラーとともに、糊付ローラー、ドクターローラー並びにナラシローラーの各々の軸支穴部の軸受部は樹脂による絶縁構成とされていることを特徴とする自動壁紙糊付機。
【請求項７】
請求項１から６のうちのいずれか一項に記載の自動壁紙糊付機であって、具備されている送り出しローラー、検尺ローラー、ハイテンションローラー、並びに押えローラーは、金属または導電性樹脂をもって構成された軸受部により金属フレームの軸支穴部に軸支され、ローラーに帯電した静電気をサージ吸収素子を介して商用電源に逃す構成とされていることを特徴とする自動壁紙糊付機。
【発明の詳細な説明】
【技術分野】
【０００１】
本発明は自動壁紙糊付機に関するものである。
【背景技術】
【０００２】
従来より、壁装材（クロス）、すなわち壁紙の裏面に自動的に所定の量の糊を塗布する自動糊付機が知られている。たとえば図１は、自動糊付機の外観の一例を示したものであるが、一般的に、たとえば糊箱内蔵の本体部Ａとこれを支える脚部Ｂ、本体部Ａの後面側に架台によって回転可能に支持された壁紙ロールＣ並びに本体部Ａの前面側に配置された糊付壁紙受けＤによって構成されている。
【０００３】
壁紙ロールＣより送り出された壁紙は、本体部Ａにおいてその裏面に糊付され、図中矢印のように、糊付壁紙受けＤへと導かれる。
【０００４】
本体部Ａにおいては、糊付のための複数のローラーをその両側端部において回転可能に軸支する一対のフレーム側板部Ｅ１、Ｅ２が設けられており、その一方のフレーム側板部Ｅ２には、ローラを伝達歯車等を介して駆動するためのモーターを備えた駆動部Ｆが配置されている。また、本体部Ａにおいては、壁紙の測長結果を表示したり、モーターを駆動制御するための表示・操作パネル部Ｇが設けられている例もある。この図１の例においては、表示・操作パネル部Ｇは、駆動部Ｆとともに着脱自在なボックスの形態を構成している。
【０００５】
本体部Ａは、前記のフレーム側板部Ｅ２側から見た図２に模式的に例示したように、通常、送り出しローラー１、検尺ローラー２、ハイテンションローラー３、糊付ローラー４、ドクターローラー５、糊上げローラー６、ナラシローラー７、押えローラー８、そして糊箱９と糊箱受け１０を備えている。
【０００６】
以上のとおりの複数のローラーは、前記フレーム側板部Ｅ１、Ｅ２に軸支されるが、このフレーム側板部Ｅ１、Ｅ２は、たとえば図２に矢印Ｊで示したように、検尺ローラー２、ハイテンションローラー３、押えローラー８を軸支する上蓋部が開閉自在とされている。ここで、糊付される壁紙Ｈは、送り出しローラー１と検尺ローラー２の２本のゴムローラーによって挾まれて前記壁紙ロールＣより引出され、本体部Ａ内に送り込まれる。検尺ローラー２は、壁紙Ｈの表面に押し付けられており、壁紙Ｈの送り方向にあわせて一方向に回転し、その回転量によって送り込まれた壁紙Ｈの長さが測定できるようにしている。
【０００７】
糊付ローラー４の矢印方向への回転によって糊付ローラー４の外周に付着する糊が、壁紙Ｈの裏面に転写されて糊付される。その際には、ドクターローラー５と糊付ローラー４の間隔が調整されることで、壁紙Ｈ裏面に転写される糊の厚みが調整される。糊は、本体部Ａの下部に設けられた糊箱９に貯えられており、糊上げローラー６の回転によって糊付ローラー４に転写される。
【０００８】
壁紙Ｈの裏面に転写された糊はナラシローラー７によって均される。ハイテンションローラー３および押えローラー８は、壁紙Ｈ表面に上方より力を加えることで、糊付を均一にし、壁紙Ｈの搬送をスムーズに行う働きをする。
【０００９】
また、糊付機には、必要に応じてスリッターが着脱自在に設けられ、このスリッターによって、壁紙Ｈの耳部を切断したり、柄合わせのために所望の幅に裁断したりすることが可能とされている。
【００１０】
本体部Ａにおける壁紙Ｈ裏面への糊付は、以上のような糊付ローラー４等の回転は、前記駆動部Ｆに配置したモーターの回転を歯車を介して伝達することで可能としている。
【００１１】
本体部Ａにおける壁紙Ｈ裏面への糊付は、以上のような複数のローラーの協働によって可能とされている。糊付の均一性や所定の糊量の転写を精度良く実現するための設計、加工組立て、調整、メンテナンスが極めて重要な意義を有している。そしてまた、糊付機は、一般的に、建築現場や増改築のための家屋、室内に搬入されて施工業者によって利用されることから、運搬性、利便性、性能の安定性の確保、向上が重要な課題となる。
【００１２】
このような課題に係わる点としては、従来より、軽量化の必要性が認識されていた。特に、エレベーター等の自動的な搬送手段が無い施工現場においては、壁紙施工業者が糊付機を手に持って現場まで上り、また下ることがあるため、このような負担軽減のための糊付機の軽量化が求められていた。この軽量化への対応策としては、これまで前記のフレーム側板部Ｅ１、Ｅ２において複数のローラーの両側端部を軸支していたアルミニウム等の金属製のフレーム側板をエンジニアリングプラスチック製のものに代替することが提案されてもいる（特許文献１）。
【００１３】
このようなフレーム側板部Ｅ１、Ｅ２における金属製からの樹脂への代替は軽量化とともに、加工組立性、メンテナンス性、作動時の振動抑制の観点からも提案されていることが特徴でもある。
【先行技術文献】
【特許文献】
【００１４】
【特許文献１】実開平５−５８４００号公報
【発明の概要】
【発明が解決しようとする課題】
【００１５】
しかしながら、フレーム側板部Ｅ１、Ｅ２について、前記提案のように複数のローラーを軸支するフレーム側板を樹脂をもって構成したものは、現状では実機としては販売されていない状況にある。その理由としては、複数のローラーを軸支して高精度での協働によって均一で所定量の糊付を可能とすることが難しいことがある。たとえば、前記の糊付ローラー４とドクターローラー５を軸支するための穴部の中心間の位置（距離）は１／１００ｍｍの精度が要求されるが、樹脂の成形加工、組立てによってこの精度を確保することは困難であり、しかも樹脂材料は金属材料に比べて熱膨張による寸法の伸縮が大きいので精度維持ができない。施工業者が現場に運搬したり保管する状況によっては、たとえば車載したままの状態でも冬の０℃以下の気温と夏場の６０℃程度の気温でもいかに寸法差が大きいものとなるかが直ちに想定される。
【００１６】
このため、前記提案のように樹脂で代替することは容易ではなく、極めて困難であったと言える。
【００１７】
そこで、従来の自動糊付機においては、依然として複数のローラーを軸支するためのフレーム側板部は金属によって構成されたものとなっている。ごく一部において樹脂が用いられるとしても、前記のような精度が要求されないカバーのようなものに限られていた。
【００１８】
ただ、従前の金属製フレーム側板部については、軽量化のための方策が実現されていないだけでなく、以下のような問題点もあった。
【００１９】
すなわち、まず、アルミニウムダイカストフレームのような金属製の場合にはどうしても塗装が必要とされるが、その膜厚の不良、塗装面のキズや剥離、異物の混入などによる部品不具合の発生が懸念されることである。たとえば塗膜が厚くなることで設計どおりの嵌合ができず、ローラーの回転が悪くなったり、部品が所定のとおり納まらないことも考慮される。
【００２０】
また、塗装では、安価に意匠性の良好な調色とすることも必ずしも容易ではなかった。
【００２１】
さらにまた、従来の自動糊付機では、モーター駆動に係わる制御部では一般にインバーターと呼ばれる方式の速度制御回路が採用されており、高い周波数でスイッチングして任意の交流を生成しているので、人体に危険ではないものの、微量であるが漏電し、左右のフレーム側板部や複数のローラーに伝わる。そこで、従来まではアース線を接続することで人体に伝わることがないようにしている。
【００２２】
しかしながら、施工業者が木造住宅などに壁紙施工する場合などでアースを接続しない場合がある。このような場合には、金属製のフレーム側板部や複数のローラーに電位が発生し、これが壁紙の裏面に付着した糊に伝わる。このため、人体に危険ではないが、施工業者が壁紙の先端などを指で掴んだ時に、敏感な人にはピリピリと感じて不快になるという懸念がある。
【００２３】
そこで、以上のような事情から、本発明は、従来の自動糊付機における問題点を解消して、軽量化、特にフレーム側板部を対象としての軽量化を可能とするとともに、複数のローラーを軸支してスムーズな協働を可能とする寸法精度を確保することを課題としている。
【００２４】
また、本発明は、従来の金属製フレーム側板部における塗装にともなう不具合や、アース接続しない場合の漏電の問題点についても解消することを課題としている。
【課題を解決するための手段】
【００２５】
本発明の自動壁紙糊付機は、前記課題を解決するために以下のことを特徴としている。
【００２６】
＜１＞糊付ローラーとドクターローラーを含む複数のローラーの作動によりシート状の壁紙材の裏面に糊付けする自動壁紙糊付機において、前記複数のローラーを両側端部において軸支する一対のフレーム側板部では、その各々が、ローラー軸支板部と外側樹脂カバー部とを有し、ローラー軸支板部は、ローラー対向面側の樹脂部と金属フレームとの複合一体化によって構成されており、金属フレームには、複数のローラーの軸支穴部と駆動伝達歯車の軸支穴部とともに軸支穴部間の寸法精度を保つ肉部と肉抜き穴部とが設けられている。
【００２７】
＜２＞前記肉部にはリブが設けられている。
【００２８】
＜３＞糊付ローラーの軸支穴部の中心とドクターローラーの軸支穴部中心との間には肉抜き穴部は存在せずに肉部が設けられている。
【００２９】
＜４＞樹脂の板状体と金属フレームとが締結により複合一体化されてフレーム側板部が構成されている。
【００３０】
＜５＞金属フレームとの樹脂一体成形品として複合一体化されたフレーム側板部が構成されている。
【００３１】
＜６＞糊箱の受け具、金属フレームにおける糊上げローラーとともに、糊付ローラー、ドクターローラー並びにナラシローラーの各々の軸支穴部の軸受部は樹脂による絶縁構成とされている。
【００３２】
＜７＞以上のいずれかの自動壁紙糊付機において、具備されている送り出しローラー、検尺ローラー、ハイテンションローラー、並びに押えローラーは、金属または導電性樹脂をもって構成された軸受部により金属フレームの軸支穴部に軸支され、ローラーに帯電した静電気をサージ吸収素子を介して商用電源に逃す構成とされている。
【発明の効果】
【００３３】
本発明によれば、従来の自動糊付機における問題点を解消し、軽量化、特にフレーム側板部を対象としての軽量化を可能にするとともに、複数のローラーを軸支してスムーズな協働を可能とする高い寸法精度を確保することができる。
【００３４】
また、従来の金属製フレーム側板部における塗装にともなう不具合や、アース接続していない場合の漏電の問題点についても解消することができる。
【図面の簡単な説明】
【００３５】
【図１】自動壁紙糊付機の一例を示した外観図である。
【図２】複数のローラーの配置と糊付のプロセスを例示した断面概要図である。
【図３】駆動側のローラー軸支板部を例示した正面図である。
【図４】従動側のローラー軸支板部を例示した正面図である。
【図５】図３のローラー軸支板部を構成する樹脂部を例示した斜視図である。
【図６】図５に対応する金属フレームを例示した斜視図である。
【図７】図３の組込み外観を示した写真である。
【図８】図７の背面側の外観を示した写真図である。
【図９】図４の組込み外観を示した写真図である。
【図１０】インサート成形品としての駆動側のローラー軸支板部を例示した正面図である。
【図１１】図１０に対応した従動側について例示した正面図である。
【図１２】絶縁の構成について例示したブロック概要図である。
【発明を実施するための最良の形態】
【００３６】
本発明では、たとえば図１や図２に例示の、前記のとおりの糊付ローラーとドクターローラーを含む複数のローラーの作動によりシート状の壁紙の裏面に糊付けする自動壁紙糊付機が対象となる。
【００３７】
もちろん、図１のように、前記表示・操作部Ｇ並びに駆動部Ｆがボックスの形態として着脱自在とされたものであってもよいし、これ以外の従来からの様々の形態であってもよい。
【００３８】
本発明の自動壁紙糊付機では、たとえば図２に例示した複数のローラーを両側端部で軸支する図１におけるような一対のフレーム側板部Ｅ１、Ｅ２において、ローラー軸支板部１１ａ、１１ｂと樹脂カバー部１２ａ、１２ｂとを有し、各々のローラー軸支板部１１ａ、１１ｂは、ローラー対向面側の樹脂部と金属フレームとの複合一体化によって構成されている。
【００３９】
図３および図４は、この複合一体化されているローラー軸支部１１ａ、１１ｂの各々を例示した正面図である。なお、この例では、図１のモーター駆動部Ｆの配置とは反対側のフレーム側板部Ｅ１に駆動部があって、ローラー軸支部１１ａが駆動側にあり、ローラー軸支部１１ｂが従動側に位置している。
【００４０】
この図３および図４に例示したローラー軸支部１１ａ、１１ｂにおいては、ローラー対向面側の樹脂部（図中の背面側）１３ａ、１３ｂと金属フレーム（図中の表面側）１４ａ、１４ｂとが各々の板状体のネジ止めにより締結されて複合一体化されている。この複合一体化のための板状体の例を図３の駆動側のローラー軸支部１１ａの場合として示したものが図５および図６である。
【００４１】
いずれも上蓋部を除いたフレーム側部Ｅ１下方部のローラー軸支部について例示している。
【００４２】
図５は前記樹脂部１３ａを示し、背面が、すなわち図中矢印方向が、ローラーに対向している。この板状体の樹脂部１３ａにはローラー軸支のための穴部１５ａ、１５ｂなどを有している。穴部１５ａは糊付ローラー用のものであり、穴部１５ｂはドクターローラー用のものである。また、図６は金属フレーム１４ａを示している。この金属フレーム１４ａには、肉部１６とこれに設けられた突状のリブ１７とともに、空隙としての肉抜き穴部１８とが設けられている。また、ローラー軸支のための穴部１９ａ、１９ｂなどを有している。穴部１９ａは糊付ローラー軸受用のものであり、穴部１９ｂはドクターローラー軸受用のものである。
【００４３】
さらに、金属フレーム１４ａには、糊付ローラー等の回転のための駆動伝達歯車の軸支穴部２０等も設けられている。
【００４４】
図５および図６に例示した樹脂部１３ａと金属フレーム部１４ａとをネジ止め締結で複合一体化したローラー軸支部１１ａについて自動壁紙糊付機への組込み状態として例示したものが図７および図８の外観写真である。図７に見えるように金属フレーム１４ａの肉抜き穴部１８には、樹脂部１３ａが露出している。また、図８のように、樹脂部１３ａは、ローラーに対向する面側に配置されている。
【００４５】
図９は、図４に例示した従動側のローラー軸支部１１ｂについて自動壁紙糊付機への組込み状態としてその外観を例示した写真である。前記と同様に金属フレーム１４ｂの肉抜き穴部１８には樹脂部１３ｂが露出していることがわかる。
【００４６】
従来のアルミニウムなどの金属製のものに代えて、樹脂部と金属フレームとの複合一体化によりローラー軸支部を構成することで、金属の使用量（厚みおよび／または面積）を大幅に低減して大きく軽量化を図ることが可能となる。その際には、前記のとおりの肉抜き穴部を設けることも可能となり、軽量化効果は一段と顕著なものとなる。
【００４７】
そして、本発明の自動壁紙糊付機においては、複数のローラーの協働がスムースに、安定して実行されるように寸法精度の確保が図られてもいる。すなわち、金属フレームにおいては、複数のローラーの軸支穴部の間の寸法精度を保つように肉部１６と肉抜き穴部１８が設けられ、肉部１６には適宜に補強のためのリブ１７も設けられている。
【００４８】
たとえば、図６、そして図３にも例示されているように、糊付ローラーの軸支のための穴部１９ａの中心とドクターローラーの軸支のための穴部１９ｂの中心と間には肉抜き穴部１８は存在せずに肉部１６のみが設けられ、さらにはリブ１７によって補強されることが好適なものとして考慮される。これによって、両中心間の位置寸法の精度として１／１００ｍｍのレベルが確保される。このことは、自動壁紙糊付機の使用時、運搬や保管時の温度が大きく変化しても安定して維持されることになる。
【００４９】
糊付ローラーの軸支のための穴部１９ａの中心と駆動伝達歯車用の軸支穴部２０の中心との間も同様に肉部１６、あるいは肉部１６とリブ１７のみによって構成されることが望ましい。
【００５０】
軽量化とともに高い寸法精度を確保されるものとして、肉部と肉抜き空部が配置される。さらには、肉部へのリブの配置も同様である。その際には、当然にも、樹脂部や金属フレームの素材の種類、強度等の特性、成形性、加工組立性、メンテナンス性等が考慮される。リブについてはダイカスト成形に際しての湯の通り道として残すことも実際的に考慮されることになる。
【００５１】
様々な形態として、本発明によれば軽量化は金属製の場合に比べてその重量で３０％以上、さらには４０％以上の低減も可能となる。
【００５２】
なお、前記の樹脂材料としてはＡＢＳ、ポリアセタールなどが、また金属材料としては、アルミニウムをはじめマグネシウム、これらの合金などが一般的に考慮される。
【００５３】
図３から図９に示した例では、ネジ止め締結による別体としての樹脂部と金属フレームとの複合一体化が実現されているが、このような形態によれば、各々の部材としての製造、成形が比較的容易であって、組立も難しくない。しかも、樹脂部と金属フレームとの熱膨張率の差を吸収できる構造とすることが可能である。また、樹脂と金属とが完全に分離できるのでリサイクルが容易でもある。
【００５４】
さらには、フレーム側板部Ｅ１、Ｅ２においてその外表面に露出するのは、樹脂カバー１２ａ、１２ｂとともに樹脂部１３ａ、１３ｂだけであるので、この樹脂部のみの交換によって色調等による意匠性を変更し、向上させることも容易となる。もちろん、前記の締結はネジ止め以外の様々の手段であってもよい。
【００５５】
別体部品のネジ止め等による締結以外にも、複合一体化は様々に実現されてよい。たとえば、ダイカスト等により成形した金属フレームを用いてその上に樹脂成形する、インサート成形等の方法が考慮される。図１０、図１１は、図３と図４に対応してインサート成形により構成したローラー軸支部１１ａ、１１ｂを例示したものである。金属フレーム１４ａ、１４ｂの肉抜き穴部１８には、樹脂部１３ａ、１３ｂによる突状ブロックが形成され、一体化が更に図られてより強度が向上することになる。
【００５６】
このため、金属使用の低減化がさらに可能になる。
【００５７】
いずれの方法、手段によっても、本発明におけるフレーム側板部Ｅ１、Ｅ２の外表面は樹脂であることから、従来の金属製の場合の塗装による不都合の発生も懸念されない。しかも比較的低コストで、樹脂を用いることによる調色変化や意匠性の向上、高級感の実現が容易となる。
【００５８】
自動壁紙糊付機の基本構成については本発明においても例えば図１、図２に示したような構成が前提とされる。この構成を大別すると、糊付機を駆動し、全体を制御する駆動・制御部と、複数のローラーとこれを軸支するフレーム側板部並びに糊箱とからなる作動部に区分される。駆動・制御部にはモーター、モーター制御部、表示操作部、そして主演算部が含まれる。
【００５９】
また、作動部には、前記のような、送り出しローラー、検尺ローラー、ハイテンションローラー、そして押えローラーという、糊には接触することのないローラー群と、糊付ローラー、ドクターローラー、糊上げローラー、そしてナラシローラーという、糊に接触するローラー群、さらには糊箱が含まれる。
【００６０】
このような構成のうちの駆動・制御部では、モーターの駆動・制御にともなって、従来より、人体に危険でない微量の漏電がある。
【００６１】
通常、この漏電の対策として、駆動・制御部にはアース線を接続し、左右のフレーム側板部やローラーを介して人体に流れないようにしている。しかしながら、木造住宅などの壁紙施工する場合などでアース線を大地に接続しない場合がある。漏電は、壁紙そのものには伝導しない。一方、壁紙の裏面に付着した糊には伝導する。このため、前記作動部における糊に抵触することのない送り出しローラー、検尺ローラーなどのローラー群については特段の対策は必要とされない。一方、糊に接するローラー群においては、フレーム側板部における本発明の金属フレームやこれに軸支されるローラーに電位が発生し、これが糊に伝わり、敏感な施工作業者の場合には壁紙裏面に付着した糊に触れることでピリピリ感じて不快感をおぼえる場合がある。
【００６２】
そこで、本発明の自動壁紙糊付機においては、図１２に示したように、糊に接するドクターローラー、糊付ローラー、ナラシローラー、そして糊上げローラー等のローラー群や糊箱について、金属フレームを用いるフレーム側板部との関係において絶縁構造とすることが考慮される。
【００６３】
より具体的な形態としては、たとえば、糊上げローラー、糊付ローラー、ドクターローラー、並びにナラシローラーの金属フレームでの軸支穴部の軸受部には、絶縁樹脂性の軸受けやベアリングなどによる樹脂をもっての絶縁構成が採用されることが好ましい。また、糊箱についてはその受け具を樹脂性（絶縁性）のものとすることが考慮される。
【００６４】
このような絶縁構造とすることで、アース接続しない場合でも施工作業者に不快感を与えることがない。
【００６５】
なお、糊に接することのないローラー群においては壁紙との接触による静電気への対策が別途に考慮される。静電気は、ある程度の電圧（約５ｋＶ以上）になると放電し、施工作業者に対して衝撃を与えることになりかねない。そこで、たとえば送り出しローラー、検尺ローラー、ハイテンションローラー、押えローラーについては、金属または導電性樹脂をもって構成された軸受部により本発明金属フレームの軸支穴部に軸支し、これらローラーに帯電した静電気を図１２に示したようにサージ吸収素子を介して商用電源に逃す構成とすることが好適なものとして考慮される。
【００６６】
以上のような絶縁や静電気への対策によって、金属フレームと樹脂部との複合一体化をもって、フレーム側板部を構成する本発明の場合にも、施工作業性、利便性は良好なものとなる。
【符号の説明】
【００６７】
Ａ  本体部
Ｂ  脚部
Ｃ  壁紙ロール
Ｄ  糊付壁紙受け
Ｅ１、Ｅ２  フレーム側板部
Ｆ  駆動部
Ｇ  表示・操作パネル
Ｈ  壁紙
１  送り出しローラー
２  検尺ローラー
３  ハイテンションローラー
４  糊付ローラー
５  ドクターローラー
６  糊上げローラー
７  ナラシローラー
８  押えローラー
９  糊箱
１０  糊箱受け
１１ａ、１１ｂ  ローラー軸支部
１２ａ、１２ｂ  樹脂カバー部
１３ａ、１３ｂ  樹脂部
１４ａ、１４ｂ  金属フレーム
１５ａ、１５ｂ  穴部
１６  肉部
１７  リブ
１８  肉抜き穴部
１９ａ、１９ｂ  穴部
２０  駆動伝達歯車用の軸支穴部
【図１】
0005834293.tif 000002
【図２】
0005834293.tif 000003
【図３】
0005834293.tif 000004
【図４】
0005834293.tif 000005
【図５】
0005834293.tif 000006
【図６】
0005834293.tif 000007
【図１２】
0005834293.tif 000008
【図７】
0005834293.tif 000009
【図８】
0005834293.tif 000010
【図９】
0005834293.tif 000011
【図１０】
0005834293.tif 000012
【図１１】
0005834293.tif 000013